(57)【要約】【課題】  特定の人が作業を行なう場合は、他の外装カバーを取外さなくとも、所望する外装カバーを自由に開放することができる電子機器を提供する。【解決手段】  画像処理装置１は、本体フレーム２に開閉自在な複数の外装カバー３ａ，３ｂ，３ｃ，３ｄと、前側外装カバー３ａの開閉状態を検出する検出センサ１９と、制御部８とを備える。前側外装カバー３ａは規制部１０のみを有し、左側および右側外装カバー３ｃ，３ｄは規制部１０と取付部１１とカバー部１２とを有し、後側外装カバー３ｂは取付部１１とカバー部１２とを有する。  上記構成により、外装カバー３ａ，３ｂ，３ｃ，３ｄが閉じているとき、カバー部１２を取付部材１８から取り外すことで、所望する外装カバー３ａ，３ｂ，３ｃ，３ｄの一部を開放することができる。【選択図】図５
2010060926.tif 000002
【特許請求の範囲】
【請求項１】
機器本体に設けられた外装カバーの取り外しが、隣の外装カバーによって規制される電子機器であって、
前記外装カバーは、前記機器本体に着脱自在に取り付けられる取付部と、前記取付部に着脱自在に取り付けられるカバー部とを有し、
前記カバー部は、接続部材を介して前記取付部に取り付けられ、
前記取付部は、隣の外装カバーによって覆われて、前記機器本体からの取り外しが規制されるが、前記カバー部は、前記機器本体に取り付けられた状態の前記取付部から取り外し可能とされたことを特徴とする電子機器。
【請求項２】
取付部は、外装カバーの端部に配されたことを特徴とする請求項１に記載の電子機器。
【請求項３】
カバー部は、隣の外装カバーに覆われていない取付部の一部を覆うように重ねられ、接続部材によって、前記カバー部と前記取付部とが一体的に接続されたことを特徴とする請求項２に記載の電子機器。
【請求項４】
外部に露出した接続部材に対して、一般の人が触れられず、特定の人だけが触れられるようにするために、接続部材への接触を規制する禁止部を設けたことを特徴とする請求項２または３に記載の電子機器。
【請求項５】
外装カバーに、隣の外装カバーの取付部を覆う規制部が設けられ、
前記規制部のみを有する第１外装カバーと、前記規制部と前記取付部とカバー部とを有する第２外装カバーと、前記取付部と前記カバー部とを有する第３外装カバーとがあり、
これら外装カバーが組み合わせられて使用されたことを特徴とする請求項１〜４のいずれかに記載の電子機器。
【請求項６】
第３外装カバーは、第２外装カバーの規制部によって、機器本体からの取り外しが規制され、
前記第２外装カバーは、第１外装カバーの規制部によって、前記機器本体からの取り外しが規制され、
前記第１外装カバーは、開閉自在とされたこと特徴とする請求項５に記載の電子機器。
【請求項７】
第１外装カバーの開閉を検出する検出センサと、前記検出センサからの出力に基づいて、機器本体に設けられた駆動部品の動作を制御する制御部とを備え、
前記制御部は、前記第１外装カバーが開いているとき、前記駆動部品への通電を禁止することを特徴とする請求項６に記載の電子機器。
【発明の詳細な説明】
【技術分野】
【０００１】
本発明は、一部が開閉可能な外装カバーを備えた電子機器に関する。
【背景技術】
【０００２】
外装カバーを有する電子機器には、電熱ヒータや駆動モータといった駆動部品が内装される。外装カバーは、ジャム処理や消耗品の交換等のメンテナンス時に開けられる。外装カバーを開けたままで駆動部品が動作すると、安全上の問題がある。
【０００３】
そこで、電子機器には、機器本体に対して開閉自在な外装カバーの開閉状態を検出する検出部が設けられる。外装カバーが開放されていることが検出された場合、電子機器は、特定の部品、例えば、駆動部品への電源供給を遮断する。
【０００４】
しかしながら、電子機器は、通常、複数の外装カバーを備えるため、検出部を複数設ける必要がある。そのため、コストが掛かる。
【０００５】
そこで、外装カバーに開閉順序を設け、所定の順序に沿って開閉させることで、開放を検出する検出部を最小限にすると共に、メンテナンスの作業上の安全性を確保するようにしている電子機器がある。例えば、特許文献１には、電子機器本体に前面および側面にフロントカバーとサイドカバーを開閉可能に設け、前記フロントカバーの一端には、フロントカバーおよびサイドカバーの閉成状態においてサイドカバーの一部を覆い、サイドカバーの開放動作を規制する規制部が設けたことが開示されている。
【特許文献１】特開平１１−２９６０４８公報
【発明の開示】
【発明が解決しようとする課題】
【０００６】
ところで、特許文献１では、外装カバーを開放してメンテナンスする場合、必ずフロントカバーから開ける必要がある。そのため、安全に作業を行うための知識を有する専任の保守作業者であっても、フロントカバーから順に外装カバーを開放していく必要がある。そのため、所望の外装カバーを開放するまでに時間を要する場合があり、メンテナンス作業の効率が悪い。
【０００７】
本発明は、特定の人が作業を行なう場合は、他の外装カバーを取外さなくとも、所望する外装カバーを自由に開放することができる電子機器の提供を目的とする。
【課題を解決するための手段】
【０００８】
上記目的を達成するために、本発明では、機器本体に設けられた外装カバーの取り外しが、隣の外装カバーによって規制される電子機器であって、前記外装カバーは、前記機器本体に着脱自在に取り付けられる取付部と、前記取付部に着脱自在に取り付けられるカバー部とを有し、前記カバー部は、接続部材を介して前記取付部に取り付けられ、前記取付部は、隣の外装カバーによって覆われて、前記機器本体からの取り外しが規制されるが、前記カバー部は、前記機器本体に取り付けられた状態の前記取付部から取り外し可能とされたことを特徴とする。
【０００９】
ここで、取り外しとは、回動、あるいは、着脱といった方法によって、外装カバーが機器本体に対して取り付けたり、取り外したりすることを示す。例えば、軸を介して回動させて開閉させることや、ネジ等の取付部材によって固定され、前記取付部材を取り付けたり、取り外したりすることによって外装カバーを着脱させて開閉させることが挙げられる。
【００１０】
外装カバーは、隣に設けられた外装カバーによって、その取り外しが規制される。すなわち、所定の順序で外装カバーの取り外しが可能である。
【００１１】
カバー部は、取付部材を取り外すことで、取付部から取り外し可能とされる。例えば、取付部が隣の外装カバーによって覆われていたとしても、取付部材を取り外せば、隣の外装カバーを取り外すことなくカバー部のみを開放する。
【００１２】
具体的には、取付部は、外装カバーの端部に配される。カバー部は、取付部の一部を覆うように重ねられ、接続部材によって、前記カバー部と前記取付部とが一体的に接続される。カバー部は、接続部材を取り外すことで取付部から離れる。
【００１３】
外装カバーが閉じられているときに、所望する外装カバーの一部を開放することができる。しかし、安全上、一般の人が開閉できてしまうのに問題がある。そこで、一般の人が触れられず、特定の人だけが触れられるようにするために、接続部材への接触を規制する禁止部が設けられる。禁止部は、一般の人が接続部材に触れられないようにするものであって、例えば、封印シールや警告等が挙げられる。
【００１４】
外装カバーに、隣の外装カバーの取付部を覆う規制部が設けられ、前記規制部のみを有する第１外装カバーと、前記規制部と前記取付部とを有する第２外装カバーと、前記取付部のみを有する第３外装カバーとがあり、これら外装カバーが組み合わせられて使用されたことを特徴とする。
【００１５】
例えば、第３外装カバーは、第２外装カバーの規制部によって、機器本体からの取り外しが規制され、前記第２外装カバーは、第１外装カバーの規制部によって、前記機器本体からの取り外しが規制される。前記第１外装カバーは、開閉自在に機器本体に備えられる。
【００１６】
第１外装カバーは、ジャム処理や消耗品の交換等のメンテナンス時に開けられる頻度か高い。そのため、第１外装カバーを開けたときに駆動部品が動作すると、安全上の問題がある。そこで、第１外装カバーの開閉を検出する検出センサと、前記検出センサからの出力に基づいて、前記第１外装カバーの開閉を判断する制御部とを備える。
【００１７】
制御部は、検出センサからの出力から外装カバーの開閉状態を判断する。制御部は、外装カバーが開いていると判断したときは通電を禁止し、閉じていると判断したときは通電を許可する。例えば、外装カバーによって外部と遮蔽された駆動部品を備えている場合、制御部は、外装カバーが開いているときは駆動部品への通電を禁止し、閉じているときは駆動部品への通電を許可する。なお、駆動部品とは、モータといった部品に動力を加えるものである。
【００１８】
上記構成により、外装カバーを開放した利用者が、駆動中の駆動部品に触れることがないので安全である。
【発明の効果】
【００１９】
本発明によると、外装カバーは、閉じられたときに、隣の外装カバーによって取付部が覆われて開放動作が規制される。このとき、カバー部は、取付部から取り外し可能とされるため、例え、取付部が隣の外装カバーによって覆われていたとしても、カバー部のみを開放することができる。
【００２０】
カバー部と取付部とを一体的に取り付ける接続部材に触れることが規制されているので、外装カバーの一部が不用意に開放することを防止できる。機器の安全性を高めることができる。
【発明を実施するための最良の形態】
【００２１】
以下、本発明の電子機器を詳細に説明する。なお、説明の便宜上、電子機器は、コピーモード、プリンタモード、スキャナモード、ファクシミリモード、および、ファイリングモードを有する画像処理装置で説明する。
【００２２】
画像処理装置の機器本体１は、図１〜図３に示すように、金属製または樹脂製の本体フレーム２によって矩形状に形成される。機器本体１の側面には、機器本体１の内部が露出しないように、機器本体１の前面側を覆う前側外装カバー３ａと、後面側を覆う後側外装カバー３ｂと、左面側を覆う左側外装カバー３ｃと、右面側を覆う右側外装カバー３ｄとを備える。なお、前側外装カバー３ａが第１外装カバーである。左側外装カバー３ｃおよび右側外装カバー３ｄが第２外装カバーである。後側外装カバー３ｂが第３外装カバーである。
【００２３】
各外装カバー３ａ，３ｂ，３ｃ，３ｄは、例えば、その下端が軸（図示せず）を介して回動自在に支持され上下方向に開閉動作可能に回動自在に本体フレーム２に設けられる。これにより、各外装カバー３ａ，３ｂ，３ｃ，３ｄは、軸を中心に回動して開閉する。各外装カバー３ａ，３ｂ，３ｃ，３ｄの両端には、外装カバー３ａ，３ｂ，３ｃ，３ｄが水平以上に回動しないようにするストッパー（図示せず）が備えられる。なお、外装カバー３ａ，３ｂ，３ｃ，３ｄは、本体フレーム２に着脱自在としても良い。
【００２４】
前側外装カバー３ａは、磁石やローラキャッチ等の簡易な保持部（図示せず）によって閉じた状態で本体フレーム２に保持される。後側外装カバー３ｂ、左側外装カバー３ｃ、および、右側外装カバー３ｄは、固定部６によって本体フレーム２に固定される。固定部６は、外装カバー３ｂ，３ｃ，３ｄの内側に設けられており、ゴム等の弾性部材によって形成される。固定部６の一端には、本体フレーム２に係止できるように、傘状の係止部６ａが形成される。固定部６は、本体フレーム２に形成された貫通孔に嵌め込まれる。
【００２５】
機器本体１には、電熱ヒータや駆動モータといった駆動部品４が内装される。外装カバー３ａ，３ｂ，３ｃ，３ｄは、ジャム処理や消耗品の交換等のメンテナンス時に開けられる。外装カバー３ａ，３ｂ，３ｃ，３ｄを開けたままで駆動部品４が動作すると、安全上の問題がある。
【００２６】
そこで、外装カバー３ａ，３ｂ，３ｃ，３ｄを所定の順序に沿って開閉させる構造とすることにより、メンテナンスの作業上の安全性を確保するようにしている。
【００２７】
具体的には、前側外装カバー３ａの左側および右側の端部には、規制部１０が設けられる。規制部１０は、外装カバー３ａを閉じた状態において、左側および右側外装カバー３ｃ，３ｄの前側の端部の外面側を覆い、左側および右側外装カバー３ｃ，３ｄの開放動作を規制する。
【００２８】
左側および右側外装カバー３ｃ，３ｄの後側の端部には、規制部１０が設けられる。規制部１０は、左側および右側外装カバー３ｃ，３ｄを閉じた状態において、後側外装カバー３ｂの左側および右側の端部の外面側を覆い、後側外装カバー３ｂの開放動作を規制する。
【００２９】
左側および右側外装カバー３ｃ，３ｄは、前側の端部が前側外装カバー３ａの規制部１０により覆われているので、前側外装カバー３ａが開放しないと開放することができない。後側外装カバー３ｂは、左側および右側の端部が左側および右側外装カバー３ｃ，３ｄの規制部１０により覆われているので、左側および右側外装カバー３ｃ，３ｄが開放しないと開放することができない。
【００３０】
すなわち、前側外装カバー３ａの開放→左側および右側外装カバー３ｃ，３ｄの開放→後側外装カバー３ｂの開放の順によって、すべての外装カバー３ａ，３ｂ，３ｃ，３ｄを開放することができる。
【００３１】
また、外装カバー３ａ，３ｂ，３ｃ，３ｄが開放されている状態において、前側外装カバー３ａを先に閉じてしまうと、前側外装カバー３ａの規制部１０が邪魔となり、左側および右側外装カバー３ｃ，３ｄを閉じることができない。前側外装カバー３ａおよび左側および右側外装カバー３ｃ，３ｄを先に閉じてしまうと、左側および右側外装カバー３ｃ，３ｄの規制部１０が邪魔となり、後側外装カバー３ｂを閉じることができない。
【００３２】
すなわち、後側外装カバー３ｂの閉鎖→左側および右側外装カバー３ｃ，３ｄの閉鎖→前側外装カバー３ａの閉鎖の順によって、すべての外装カバー３ａ，３ｂ，３ｃ，３ｄを閉鎖することができる。
【００３３】
機器本体１は、一般的な複合機であって、ＲＯＭ、ＲＡＭ、画像メモリ、ＨＤＤ、ＮＩＣ（Ｎｅｔｗｏｒｋ  Ｉｎｔｅｒｆａｃｅ  Ｃａｒｄ）、操作パネル７、画像形成部、画像読取部、画像処理部、制御部８を備える。これらは駆動部品４を有している。
【００３４】
駆動部品４とは、部品に動力を加えるものであって、搬送ローラを駆動させるモータ、定着装置に備えられたヒータ、装置内の熱を冷却させる冷却ファン、画像処理部、画像形成部、画像読取部等である。制御部８は、駆動部品４の動作を制御する。
【００３５】
機器本体１は、駆動部品４および制御部８に電力を供給する電源９を備える。電源９は、制御部８に１０Ｖの電力を供給し、駆動部品４に２４Ｖの電力を供給する。電源９は、操作指示および動作状況に応じた制御部８からの指示に基づいて、各部品に電力を供給する。
【００３６】
前側外装カバー３ａは、紙詰まりであるジャムやトナー不足といったエラーが発生する度に開放する。そのため、他の外装カバー３ｂ，３ｃ，３ｄよりも開閉頻度が高い。また、外装カバー３ａ，３ｂ，３ｃ，３ｄが所定の順序でしか開閉ができないため、前側外装カバー３ａが閉じている場合は、他の外装カバー３ｂ，３ｃ，３ｄは閉じていると判断することができる。
【００３７】
そこで、画像処理装置は、前側外装カバー３ａの開閉を検知する検出センサ１９を備える。検出センサ１９は、前側外装カバー３ａによって覆われる本体フレーム２に備えられる。検出センサ１９は、検出結果を制御部８に出力する。
【００３８】
なお、検出センサ１９は、前側外装カバー３ａの開閉を検知できるものであれば、接触式あるいは非接触式のいずれのセンサでも良い。例えば、赤外線等の光を照射し、その反射光を受信したか否かの反射型の光学センサが挙げられる。
【００３９】
制御部８は、検出センサ１９からの出力に基づいて、前側外装カバー３ａの開閉を判断する。制御部８は、常に検出センサ１９からの入力を確認する。制御部８は、検出センサ１９から反射光ありの検出結果が入力されたとき、前側外装カバー３ａの閉鎖と判断する。検出センサ１９から反射光なしの検出結果が入力されたとき、前側外装カバー３ａの開放と判断する。
【００４０】
制御部８は、前側外装カバー３ａが開いているとき、機器本体１の動作を禁止し、閉じているとき、機器本体１の動作を許可する。具体的には、制御部８は、判断結果に基づいて駆動部品４への電源供給の可否を決める。
【００４１】
制御部８は、前側外装カバー３ａの閉鎖を検出したとき、駆動部品４への電源供給を許可する。前側外装カバー３ａの開放を検出したとき、駆動部品４への電源供給を禁止する。そして、制御部８は、開放している前側外装カバー３ａを閉じる旨の表示を操作パネル７の表示部７ａに表示させる。
【００４２】
ところで、安全に作業を行うための知識を有する専任の保守作業者であっても、外装カバー３ａ，３ｂ，３ｃ，３ｄを必ず所定の順序に沿って開ける必要があるため、所望の外装カバー３ａ，３ｂ，３ｃ，３ｄを自由に開放することができない。そのため、所望の外装カバー３ａ，３ｂ，３ｃ，３ｄを開放するまでに時間を要し、メンテナンス作業の効率が悪い。
【００４３】
そこで、一般の人でない特定の人、例えば、保守作業者が作業を行なう場合は、他の外装カバー３ａ，３ｂ，３ｃ，３ｄを開けなくとも、所望する外装カバー３ａ，３ｂ，３ｃ，３ｄを自由に開けることができる構造となっている。
【００４４】
具体的には、図４〜図６に示すように、左側および右側外装カバー３ｃ，３ｄおよび後側外装カバー３ｂは、本体フレーム２に着脱自在に取り付けられる取付部１１と、取付部１１に着脱自在に取り付けられるカバー部１２とを有する。
【００４５】
カバー部１２は、取付部１１の一部を覆うように重ねられ、接続部材１８によって、カバー部１２と取付部１１とが一体的に接続される。
【００４６】
取付部１１は、左側および右側外装カバー３ｃ，３ｄの前側、すなわち、前側外装カバー３ａに近い端部に、取付部１１は、後側外装カバー３ｂの左右両側、すなわち、左側および右側外装カバー３ｃ，３ｄに近い端部に一体に設けられている。取付部１１は、隣の外装カバーの規制部１０によって覆われる。すなわち、左側および右側外装カバー３ｃ，３ｄの取付部１１は、前側外装カバー３ａの規制部１０によって覆われる。後側外装カバー３ｂの取付部１１は、左側および右側外装カバー３ｃ，３ｄの規制部１０によって覆われる。この構成により、取付部１１は取り外しが規制される。
【００４７】
各取付部１１の外面には、外方向に突起した係止部１４が形成される。各規制部１０の内面には、係止部１４と係合する凹部１５が形成される。この構成により、外装カバー３ａ，３ｂ，３ｃ，３ｄが閉じられたとき、係止部１４と凹部１５とが係合する。外装カバー３ａ，３ｂ，３ｃ，３ｄが定位置で閉じるとともに、外装カバー３ａ，３ｂ，３ｃ，３ｄが外れることを防止できる。
【００４８】
取付部１１のカバー部１２側の端部、および、カバー部１２側の取付部１１の端部に、重ね部１６，１７が形成される。重ね部１６，１７は、厚さが薄く形成される。詳しくは、取付部１１の重ね部１６は、外側の表面が切りかかれた階段状に形成される。カバー部１２の重ね部１７は、内側の表面が切りかかれた階段状に形成される。
【００４９】
取付部１１の重ね部１６とカバー部１２の重ね部１７とが重ね合わせられる。カバー部１２は、取付部１１の一部を覆うように重ねられる。カバー部１２の重ね部１７は、隣の外装カバー３ａ，３ｃ，３ｄの規制部１０には、覆われない。
【００５０】
接続部材１８は、取付部１１とカバー部１２とを共締めするネジである。接続部材１８により、取付部１１の重ね部１６とカバー部１２の重ね部１７とが密着して、カバー部１２が取付部１１に固定される。接続部材１８を外すことにより、カバー部１２は、取付部１１から取り外し可能となる。
【００５１】
接続部材１８は、ネジを用いているが特にこの限りではない。例えば、磁石やローラキャッチ等のような簡易な接続部材であっても良い。すなわち、カバー部１２と取付部１１とが着脱可能に接続することができる部材であれば良い。
【００５２】
取付部１１、カバー部１２、禁止部１３、および、接続部材１８の具体的な構成としては、例えば、取付部１１は、四角い枠状に形成される。取付部１１の上側の左右の隅に固定部６が装着される。カバー部１２は、取付部１１の枠内に嵌め込まれる。
【００５３】
接続部材１８を上側にだけ設け、カバー部１２の下端を取付部１１に固定自在に取り付けても良い。カバー部１２は、取付部１１に開閉自在に支持される。これに代わり、接続部材１８は、カバー部１２の四隅に配される。外装カバー３ａ，３ｂ，３ｃ，３ｄが開閉する場合、取付部１１は、下端を中心にして回動し、カバー部１２は、取付部１１に着脱自在とされる。
【００５４】
規制部１０は、外装カバー３ａ，３ｃ，３ｄの上端から下端にかけて形成される。なお、規制部１０は、取付部１１の端部の一部だけを覆うように形成されても良い。
【００５５】
接続部材１８は、規制部１０に覆われないので、外部に露出する。この接続部材１８に対して、一般の人、例えば、利用者が触れられず、特定の人、例えば、専任の保守作業者だけが触れられるようにするために、接続部材１８への接触を規制する禁止部１３が設けられる。禁止部１３は、接続部材１８の上に貼られたシールである。シール１３は、利用者に対して工具の使用を禁止する注意書きがされており、利用者に対して所定の作業手順に沿って作業を行なうようしている。また、シール１３によって、接続部材１８が目隠しされる。
【００５６】
なお、禁止部１３は、特にこの限りではない。例えば、利用者に対して工具の使用を禁止するよう前もって取扱説明書等に明示する方法であっても良い。あるいは、接続部材１８が特殊な工具でしか開けられないものであっても良い。この場合、保守作業者は、その工具を所有している。
【００５７】
次に、一般的な外装カバー３ａ，３ｂ，３ｃ，３ｄの開閉について説明する。
【００５８】
すべての外装カバー３ａ，３ｂ，３ｃ，３ｄが閉じた状態の場合、左側および右側外装カバー３ｃ，３ｄの取付部１１は、前側外装カバー３ａの規制部１０に覆われている。後側外装カバー３ｂの取付部１１は左側および右側外装カバー３ｃ，３ｄの規制部１０に覆われている。
【００５９】
このとき、検出センサ１９において、照射した赤外線が前側外装カバー３ａで反射し、その反射光が受信される。検出センサ１９は、受信ありを制御部８に出力する。電源がＯＮであるので、制御部８は、受信した結果に基づいて、前側外装カバー３ａが閉じられていることを認識し、電源９から駆動部品４に２４Ｖの電力を供給するように制御する。
【００６０】
外装カバー３ａ，３ｂ，３ｃ，３ｄを開けるとき、先ず、利用者は、前側外装カバー３ａを開放する。前側外装カバー３ａが開放されると、検出センサ１９は、受信なしを制御部８に出力する。制御部８は、受信した結果に基づいて、前側外装カバー３ａが開放されていることを認識し、電源９から駆動部品４に２４Ｖの電力供給を停止するように制御する。
【００６１】
前側外装カバー３ａを開放した後、利用者は、左側および右側外装カバー３ｃ，３ｄ、後側外装カバー３ｂの順に開放する。
【００６２】
その後、利用者は、開放した順序と逆の順序で外装カバー３ａ，３ｂ，３ｃ，３ｄを閉じる。そして、駆動部品４に電力が供給される。
【００６３】
保守作業者がメンテナンス、例えば、冷却ファン４の清掃を行う場合は、先ず、保守作業者は、画像処理装置の電源をＯＦＦにする。そして、保守作業者は、後側外装カバー３ｂの接続部材１８を取り外す。保守作業者は、後側外装カバー３ｂのカバー部１２を、取付部１１から取り外す。後側外装カバー３ｂの一部が開いて、冷却ファン４が外部に露出する。そして、保守作業者は、冷却ファン４を清掃する。
【００６４】
冷却ファン４を清掃した後、保守作業者は、開放した順序と逆の順序で後側外装カバー３ｂのカバー部１２を取り付ける。そして、画像処理装置の電源をＯＮにする。
【００６５】
これにより、簡易な構造で、外装カバー３ａ，３ｂ，３ｃ，３ｄの開閉を確実に規制することができ、一般の人は所定の順序に沿って開閉し、特定の人は所望する外装カバーを自由に開放することができる。
【００６６】
なお、本発明は、上記実施形態に限定されるものではなく、本発明の範囲内で上記実施形態に多くの修正および変更を加え得ることは勿論である。例えば、画像処理装置ではなく、コピー装置、ファクシミリ装置、あるいは、読取装置といった単体の装置であってもよく。さらに、原稿自動搬送機能を有するスキャナといった、外装カバーによって外部と遮蔽された駆動部品を有する電子機器であれば良い。
【００６７】
外装カバーの他の形態としては、取付部の端面とカバー部の端面とが付き合わされる形態が挙げられる。この場合、接続部材は、取付部およびカバー部にまたがって差し込まれ、取付部とカバー部とが一体化される。
【図面の簡単な説明】
【００６８】
【図１】本実施形態に係る画像処理装置の正面側の斜視図
【図２】画像処理装置の背面側の斜視図
【図３】制御部および周辺機器のブロック図
【図４】外装カバーの構造断面図であって、（ａ）は前側外装カバーが開いた状態、（ｂ）は前側外装カバーが閉じた状態
【図５】取付部およびカバー部の拡大断面図
【図６】取付部およびカバー部の拡大側面図
【符号の説明】
【００６９】
１    画像処理装置
２    本体フレーム
３ａ  前側外装カバー
３ｂ  後側外装カバー
３ｃ  左側外装カバー
３ｄ  右側外装カバー
４    駆動部品
６    固定部
６ａ  傘状の係止部
７    操作パネル
７ａ  表示部
８    制御部
９    電源
１０    規制部
１１    取付部
１２    カバー部
１３    禁止部
１４    係止部
１５    凹部
１６    取付部の重ね部
１７    カバー部の重ね部
１８    接続部材
１９    検出センサ
【図１】
2010060926.tif 000003
【図２】
2010060926.tif 000004
【図３】
2010060926.tif 000005
【図４】
2010060926.tif 000006
【図５】
2010060926.tif 000007
【図６】
2010060926.tif 000008